(57)【要約】【課題】本発明は、ランプオープンワイヤ個数にかかわらずオープン時のランプ駆動電圧の正確な検出が可能なＬＣＤバックライト用電圧フィードバック回路に関する。【解決手段】本発明は、互いに逆位相で駆動する複数の第１、第２トランス対を含むＬＣＤバックライトインバータに適用される電圧フィードバック回路において、第１トランスからの第１駆動電圧を検出する第１電圧検出部１１０と、第２トランスからの第２駆動電圧を検出する第２電圧検出部１２０と、第１電圧検出部の出力端と第２電圧検出部の出力端が接続された検出接続ノードＮＤで検出される検出電圧ＶＤのピークを検出するピーク検出部１３０と、ピーク検出部からのピーク電圧を既設定された電圧割合に調節する電圧調節部１４０と、電圧調節部からの検出電圧と既設定された基準電圧との差電圧を検出する誤差検出部１５０とを備える。【選択図】図６
2008010425.tif 000002
【特許請求の範囲】
【請求項１】
互いに逆位相で駆動する複数の第１、第２トランス対を含むＬＣＤバックライトインバータに適用される電圧フィードバック回路において、
前記第１トランスからの第１駆動電圧を検出する第１電圧検出部と、
前記第２トランスからの第２駆動電圧を検出する第２電圧検出部と、
前記第１電圧検出部の出力端と前記第２電圧検出部の出力端が接続された検出接続ノードで検出される検出電圧のピークを検出するピーク検出部と、
前記ピーク検出部からのピーク電圧を既設定された電圧割合に調節する電圧調節部と、
前記電圧調節部からの検出電圧と既設定された基準電圧との差電圧を検出する誤差検出部と、
を備えるＬＣＤバックライトインバータ用電圧フィードバック回路。
【請求項２】
前記第１電圧検出部は、                    前記第１トランスの出力端と接地との間に直列に連結される第１、第２キャパシタと、
前記第１、第２キャパシタが互いに接続される第１接続ノードに連結されたアノードを有し、前記第１接続ノードの電圧を整流する第１ダイオードと、
前記第１ダイオードのアノードに連結されたカソードと接地に連結されたアノードとを有する第２ダイオードと、
を含むことを特徴とする、請求項１記載のＬＣＤバックライトインバータ用電圧フィードバック回路。
【請求項３】
前記第２電圧検出部は、                    前記第１トランスの出力端と接地との間に直列に連結される第３、第４キャパシタと、
前記第３、第４キャパシタが互いに接続される第２接続ノードに連結されたアノードを有し、前記第２接続ノードの電圧を整流する第３ダイオードと、
前記第３ダイオードのアノードに連結されたカソードと接地に連結されたアノードとを有する第４ダイオードドと、
を含むことを特徴とする、請求項１記載のＬＣＤバックライトインバータ用電圧フィードバック回路。
【請求項４】
前記ピーク検出部は、                      前記検出ノードと接地との間に連結されたキャパシタと、
前記キャパシタと出力端間の信号ラインに形成された抵抗と、
を含むことを特徴とする、請求項１記載のＬＣＤバックライトインバータ用電圧フィードバック回路。
【発明の詳細な説明】
【技術分野】
【０００１】
本発明は、ＬＣＤモニターまたはＬＣＤ  ＴＶに適用されるＬＣＤバックライトインバータ用電圧フィードバック回路に関し、特にランプオープンの際動作しランプのオープンワイヤの個数にかかわらずランプオープン時のランプ駆動電圧を正確に検出できるようにすることで、一対のランプワイヤ中の一方のワイヤがオープンの際に生じていた過大電圧を防止することが可能であり、これによって過大電圧によるトランスの破壊を予め防止することができるＬＣＤバックライトインバータ用電圧フィードバック回路に関する。
【背景技術】
【０００２】
一般的に、ＬＣＤモニターまたはＬＣＤ  ＴＶに適用されるＬＣＤバックライトインバータは、図１に示されたようになっいている。
【０００３】
図１は一般的なＬＣＤバックライトインバータの構成図である。
【０００４】
図１に示された一般的なＬＣＤバックライトインバータは、フィードバック電圧（ＳＶ）または電流（ＳＡ）によってパワースイッチングを制御する制御部１と、上記制御部１の制御によって電源をスイッチングするパワースイッチ２と、上記パワースイッチ２によって供給される１次電圧を２次電圧に変換するトランス部３と、上記トランス部３の２次電圧による駆動電流によって点灯される複数のランプを含むランプ部（ＬＡＭＰ）と、上記ランプ部（ＬＡＭＰ）の駆動電圧を検出する電圧検出回路部１１と、上記ランプ部（ＬＡＭＰ）のランプオープン状態で動作し、上記電圧検出回路部１１による検出電圧と基準電圧を比較し、その差電圧を上記制御部１にフィードバックする電圧フィードバック回路部１２と、上記ランプ部（ＬＡＭＰ）に流れる電流を検出する電流検出回路部２１と、上記ランプ部（ＬＡＭＰ）が定常動作状態で動作して、上記電流検出回路部２１による検出電流に該当或いは相当する電圧と基準電圧を比較し、その差電圧を上記制御部１にフィードバックする電流フィードバック回路部２２と、上記電流検出回路部２１による検出電流に該当  或いは相当する電圧とオープン判断基準電圧を比較し、その比較結果によって保護信号（ＳＰ）を上記電圧フィードバック回路部１２及び上記電流フィードバック回路部２２に出力するランプオープン保護回路部３０とを含む。
【０００５】
この際、上記ランプオープン保護回路部３０は、上記ランプ部（ＬＡＭＰ）のランプ定常状態で、上記電圧フィードバック回路部１２の動作を制御し、上記ランプ部（ＬＡＭＰ）のランプオープン状態で、上記電流フィードバック回路部２２の動作を制御する。
【０００６】
上述したように、上記ランプ部（ＬＡＭＰ）の駆動電圧を検出し、該検出電圧を制御部にフィードバックする電圧フィードバック回路は、上記電圧検出回路部１１と電圧フィードバック回路部１２とを含み、上記トランス部は互いに逆位相の駆動信号を供給する複数の第１トランス（Ｔ１）及び第２トランス（Ｔ２）の対を含むことができる。
【０００７】
かかる従来の電圧フィードバック回路については図２を参照して説明する。
【０００８】
図２は従来の電圧フィードバック回路の構成図である。
【０００９】
図２に示された従来の電圧フィードバック回路は、第１トランス（Ｔ１）からの駆動電圧（Ｖ１）を検出する第１電圧検出部３１と、第２トランス（Ｔ２）からの駆動電圧（Ｖ２）を検出する第２電圧検出部３２と、上記第１電圧検出部３１の検出電圧と上記第２電圧検出部３２の検出電圧が結合された電圧を予め設定された割合に調節する電圧調節部４０と、上記電圧調節部４０による検出電圧と既設定された基準電圧との誤差電圧を検出して制御部１に提供する誤差検出部５０とを含む。
【００１０】
ところで、かかる従来の電圧フィードバック回路は、様々な種類のランプに適用することができ、これについて図３（ａ）及び図３（ｂ）を参照して説明する。
【００１１】
図３（ａ）及び図３（ｂ）はランプタイプ別電圧検出の例示図で、図３（ａ）に示された回路に適用されるランプは小型ランプであり、該ランプは第１トランス（Ｔ１）によって第１ランプ（ＬＡＭＰ１）が駆動され、第２トランス（Ｔ２）によって第２ランプ（ＬＡＭＰ２）が駆動するタイプである。図３（ｂ）に示された回路に適用されるランプは大型ランプであり、該ランプはその一端に第１トランス（Ｔ１）が連結され、その他端に第２トランス（Ｔ２）が連結されるタイプである。
【００１２】
この際、上記第１トランス（Ｔ１）及び第２トランス（Ｔ２）は互いに逆位相を有する第１、第２駆動電圧を提供する。
【００１３】
一方、従来の電圧フィードバック回路は、定常時には図４に示すような電圧が検出される。
【００１４】
図４は定常動作時の電圧検出波形図であって、図４にＶ１は第１トランス（Ｔ１）による第１駆動電圧であり、Ｖ２は第２トランス（Ｔ２）による第２駆動電圧である。
【００１５】
そして、ＶＤは上記第１駆動電圧（Ｖ１）が整流された電圧と、上記第２駆動電圧（Ｖ２）が整流された電圧が結合された検出電圧であり、該検出電圧は定常時、略６Ｖである。
【００１６】
例えば、上記６Ｖの検出電圧（ＶＤ）は上記電圧調節部４０によって１Ｖに調節でき、これによって、上記誤差検出部５０は、上記検出電圧（ＶＤ）（１Ｖ）が既設定された基準電圧（例えば、２Ｖ）より低いためにランプ部を定常状態で判断することができる。
【００１７】
他方、従来の電圧フィードバック回路は、ランプオープン時には図５に示すような電圧が検出される。
【００１８】
図５（ａ）及び図５（ｂ）はランプオープン時の電圧検出波形図であって、図５  （ａ）に示された検出電圧（ＶＤ）はランプタイプにおける検出電圧であり、これは略２ｋＶの検出電圧（ＶＤ）は上記電圧調節部４０によって３００Ｖに調節され、これによって、上記誤差検出部５０は、上記検出電圧（ＶＤ）３００Ｖが既設定された基準電圧（例えば、２Ｖ）より高いためにランプ部をランプオープン状態で判断することができる。
【００１９】
ところが、上記ランプ部のランプが不安定なオープン状態、即ち、両側のランプワイヤの一方のワイヤがオープンされれば、オープンされたワイヤ側で検出される電圧平均値は両側のワイヤがオープン時に検出される電圧の半分に対応または相当するので、駆動電圧を継続して上昇しようとする方向に制御し、これによって駆動電圧が過大電圧に上昇し、そのためトランスが高い駆動電圧によって致命的な損傷を受ける問題点がある。
【００２０】
例えば、図３（ａ）に示された回路において一方のランプがオープンされる場合や、図３（ｂ）に示された回路でのランプにおいて一側のワイヤが断線される場合には、フィードバックされる電圧または電流値が低いため、上述したように高い駆動電圧を供給しようとする方向に制御が進行される。
【００２１】
これによって、図３（ａ）で断線されたランプ側のトランスが高い駆動電圧を供給し、そのため検出電圧は図５（ｂ）に示されるように４ＫＶ程度と極めて高い高電圧が検出される。また、図３（ｂ）でのランプで断線されたランプ側のトランスが高い駆動電圧を供給し、そのため検出電圧は図５（ｂ）に示されたように４ＫＶ程度と極高の電圧が検出される。
【００２２】
上述したような場合、極めて高い高電圧によってトランスが損傷を受ける恐れがあり、著しい場合にはトランスが破壊される問題点がある。
【発明の開示】
【発明が解決しようとする課題】
【００２３】
本発明は、上記した問題点を解決するために提案されたもので、その目的は、ランプオープンの際動作しランプのオープンワイヤの個数にかかわらずランプオープン時のランプ駆動電圧を正確に検出できるようにすることで、一対のランプワイヤの一方のワイヤがオープン時に生じていた過大電圧を防止することができ、これによって過大電圧によるトランスの破壊を予め防止することができる、ＬＣＤバックライトインバータ用電圧フィードバック回路を提供することにある。
【課題を解決するための手段】
【００２４】
上記した本発明の目的を達成するために、本発明のＬＣＤバックライトインバータ用電圧フィードバック回路は、互いに逆位相で駆動する複数の第１、第２トランスの対を含むＬＣＤバックライトインバータに適用される電圧フィードバック回路において、上記第１トランスからの第１駆動電圧を検出する第１電圧検出部と、上記第２トランスからの第２駆動電圧を検出する第２電圧検出部と、上記第１電圧検出部の出力端と上記第２電圧検出部の出力端が接続された検出接続ノードで検出される検出電圧のピークを検出するピーク検出部と、上記ピーク検出部からのピーク電圧を既設定された電圧割合に調節する電圧調節部と、上記電圧調節部からの検出電圧と既設定された基準電圧との差電圧を検出する誤差検出部とを備えることを特徴とする。
【００２５】
上記第１電圧検出部は、上記第１トランスの出力端と接地の間に直列に連結される第１、第２キャパシタと、上記第１、第２キャパシタが互いに接続される第１接続ノードに連結されたアノードを有し、上記第１接続ノードの電圧を整流する第１ダイオードと、                                             上記第１ダイオードのアノードに連結されたカソードと接地に連結されたアノードとを有する第２ダイオードとを含むことを特徴とする。
【００２６】
上記第２電圧検出部は、                    上記第２トランスの出力端と接地との間に直列に連結される第３、第４キャパシタと、                                             上記第３、第４キャパシタが互いに接続される第２接続ノードに連結されたアノードを有し、上記第２接続ノードの電圧を整流する第３ダイオードと、上記第３ダイオードのアノードに連結されたカソードと接地に連結されたアノードとを有する第４ダイオードドを含むことを特徴とする。
【００２７】
上記ピーク検出部は、                      上記検出ノードと接地との間に連結されたキャパシタと、上記キャパシタと出力端間の信号ラインに形成された抵抗とを含むことを特徴とする。
【発明の効果】
【００２８】
本発明によれば、ＬＣＤモニターまたはＬＣＤ  ＴＶに適用されるＬＣＤバックライトインバータ用電圧フィードバック回路において、ランプオープンの際動作しランプのオープンワイヤの個数にかかわらずランプオープン時のランプ駆動電圧を正確に検出できるようにすることで、一対のランプワイヤ中の一方のワイヤがオープン時に生じていた過大電圧を防止することができ、これによって過大電圧によるトランスの破壊を予め防止することができる効果を奏する。
【発明を実施するための最良の形態】
【００２９】
以下、本発明の好ましい実施例を添付の図面を参照して詳しく説明する。本発明に参照された図面において実質的に同様な構成及び機能を有する構成要素は同じ符号を付す。
【００３０】
図６は本発明によるＬＣＤバックライトインバータ用電圧フィードバック回路の構成図である。
【００３１】
図６に示すように、本発明によるＬＣＤバックライトインバータ用電圧フィードバック回路は、互いに逆位相で駆動する複数の第１トランス（Ｔ１）及び第２トランス（Ｔ２）の対を含むＬＣＤバックライトインバータに適用される。
【００３２】
本発明の電圧フィードバック回路は、ランプオープン状態で動作し、上記第１トランス（Ｔ１）からの第１駆動電圧（Ｖ１）を検出する第１電圧検出部１１０と、上記第２トランス（Ｔ２）からの第２駆動電圧（Ｖ２）を検出する第２電圧検出部１２０と、上記第１電圧検出部１１０の出力端と上記第２電圧検出部１２０の出力端が接続された検出接続ノード（ＮＤ）で検出される検出電圧（ＶＤ）のピークを検出するピーク検出部１３０と、上記ピーク検出部１３０からのピーク電圧（ＶＰ）を既設定された電圧割合に調節する電圧調節部１４０と、上記電圧調節部１４０からの検出電圧（ＶＡ）と既設定された基準電圧（Ｖｒｅｆ）との差電圧を検出する誤差検出部１５０とを含む。
【００３３】
上記第１電圧検出部１１０は、上記第１トランスの出力端と接地の間に直列に連結される第１キャパシタ（Ｃ１１）及び第２キャパシタ（Ｃ１２）と、上記第１キャパシタ（Ｃ１１）及び第２キャパシタ（Ｃ１２）が互いに接続される第１接続ノード（Ｎ１）に連結されたアノードを有し、上記第１接続ノード（Ｎ１）の電圧を整流する第１ダイオード（Ｄ１１）と、上記第１ダイオード（Ｄ１１）のアノードに連結されたカソードと接地に連結されたアノードとを有する第２ダイオード（Ｄ１２）とを含む。
【００３４】
上記第２電圧検出部１２０は、上記第２トランスの出力端と接地の間に直列に連結される第３キャパシタ（Ｃ２１）及び第４キャパシタ（Ｃ２２）と、上記第３キャパシタ（Ｃ２１）及び第４キャパシタ（Ｃ２２）が互いに接続される第２  接続ノード（Ｎ２）に連結されたアノードを有し、上記第２接続ノード（Ｎ２）の電圧を整流する第３ダイオード（Ｄ２１）と、上記第３ダイオード（Ｄ２１）のアノードに連結されたカソードと接地に連結されたアノードとを有する第４ダイオード（Ｄ２２）とを含む。
【００３５】
図７は本発明のピーク検出部の回路図である。図７を参照すれば、上記ピーク検出部１３０は、上記検出ノード（ＮＤ）と接地との間に連結されたキャパシタ（Ｃ３０）と、上記キャパシタ（Ｃ３０）と出力端間の信号ラインに形成された抵抗（Ｒ３０）とを含む。
【００３６】
図８（ａ）及び図８（ｂ）は、本発明のピーク検出部のピーク電圧波形の例示図であって、図８（ａ）は本発明のピーク検出部が、両側のランプワイヤオープン時に検出するピークの電圧波形の例示図であり、図８（ｂ）は本発明のピーク検出部が両側のランプワイヤの一方のワイヤがオープン時に検出するピーク電圧波形の例示図である。
【００３７】
以下、本発明の作用及び効果を添付した図面に基づいて詳しく説明する。
【００３８】
図６乃至図８を参照して、本発明によるＬＣＤバックライトインバータ用電圧フィードバック回路に対する動作を説明する。
【００３９】
図６を参照すれば、本発明のＬＣＤバックライトインバータ用電圧フィードバック回路は、互いに逆位相で駆動する複数の第１トランス（Ｔ１）及び第２トランス（Ｔ２）の対を含むＬＣＤバックライトインバータに適用され、ランプオープン状態でランプに供給される駆動電圧を検出し制御部（図示せず）に検出電圧をフィードバックし、これによって上記制御部が上記検出電圧によってランプの駆動電圧を一定に制御する。
【００４０】
先ず、本発明の電圧フィードバック回路の第１電圧検出部１１０は、上記第１トランス（Ｔ１）からの第１駆動電圧（Ｖ１）を検出する。また、上記電圧フィードバック回路の第２電圧検出部１２０は、上記第２トランス（Ｔ２）からの第２駆動電圧（Ｖ２）を検出する。
【００４１】
上記第１電圧検出部１１０について具体的に説明すれば、上記第１電圧検出部１１０は、上記第１トランスの出力端と接地との間に直列に連結される第１キャパシタ（Ｃ１１）及び第２キャパシタ（Ｃ１２）を含み、上記第１キャパシタ（Ｃ１１）及び第２キャパシタ（Ｃ１２）の第１接続ノード（Ｎ１）における電圧は、第１ダイオード（Ｄ１１）によって整流される。この際、上記第１電圧検出部１１０は上記第１ダイオード（Ｄ１１）のアノードに連結されたカソードと接地に連結されたアノードとを有する第２ダイオード（Ｄ１２）を含み、上記第２ダイオード（Ｄ１２）は、上記第１キャパシタ（Ｃ１１）及び第２キャパシタ（Ｃ１２）の第１接続ノード（Ｎ１）における電圧を一定にする定電圧素子として作用する。
【００４２】
また、上記第２電圧検出部１２０について具体的に説明すれば、上記第２電圧検出部１２０は、上記第２トランスの出力端と接地との間に直列に連結される第３キャパシタ（Ｃ２１）及び第４キャパシタ（Ｃ２２）を含み、上記第３キャパシタ（Ｃ２１）及び第４キャパシタ（Ｃ２２）の第２接続ノード（Ｎ２）における電圧は、第３ダイオード（Ｄ２１）によって整流される。この際、上記第２電圧検出部１２０は上記第３ダイオード（Ｄ２１）のアノードに連結されたカソードと接地に連結されたアノードとを有する第４ダイオード（Ｄ２２）を含み、上記第４ダイオード（Ｄ２２）は、上記第３キャパシタ（Ｃ２１）及び第４キャパシタ（Ｃ２２）の第２接続ノード（Ｎ２）における電圧を一定にする定電圧素子として作用する。
【００４３】
次に、本発明のピーク検出部１３０は、上記第１電圧検出部１１０の出力端と上記第２電圧検出部１２０の出力端が接続された検出接続ノード（ＮＤ）で検出される検出電圧（ＶＤ）のピークを検出する。これについては図７を参照して説明する。
【００４４】
次に、本発明の電圧調節部１４０は、上記ピーク検出部１３０からのピーク電圧（ＶＰ）を既設定された電圧割合に調節する。
【００４５】
より具体的には、図６に示すように、上記電圧調節部１４０は抵抗（Ｒ４１、Ｒ４２）及びキャパシタ（Ｃ４１）から成る電圧分割回路で実現され、このような電圧調節部１４０は、上記ピーク検出部１３０によって検出されたピーク電圧を既設定電圧割合に調整する。
【００４６】
次に、本発明の誤差検出部１５０は、上記電圧調節部１４０からの検出電圧（ＶＡ）と既設定された基準電圧（Ｖｒｅｆ）との差電圧を検出する。
【００４７】
これについてより具体的に説明すれば、上記誤差検出部１５０が基準電圧（Ｖｒｅｆ）が入力される非反転端と、上記調節電圧（ＶＡ）が入力される反転端子とを有する演算増幅器（ＯＰ１）から成り、上記演算増幅器（ＯＰ１）の出力端と反転端がキャパシタ（Ｃ５１）によって連結されてなる場合、上記演算増幅器（ＯＰ１）は上記検出電圧（ＶＡ）と基準電圧（Ｖｒｅｆ）との差電圧（ＶＡ−Ｖｒｅｆ）を検出する。
【００４８】
このような差電圧によって制御部がパワースイッチをＰＷＭ方式またはＰＦＭ方式で制御する。
【００４９】
図６及び図７を参照して上記ピーク検出部１３０について詳しく説明する。
【００５０】
図６及び図７を参照すれば、上記ピーク検出部１３０は図７に示すように、キャパシタ（Ｃ３０）と抵抗（Ｒ３０）とから成ることができ、この際、上記検出電圧（ＶＤ）は、上記キャパシタ（Ｃ３０）及び抵抗（Ｒ３０）によるＲＣ回路によって平滑されるので、上記ピーク検出部１３０では上記検出電圧（ＶＤ）のピーク電圧に該当または相当する直流電圧が出力される。
【００５１】
上述したような本発明のピーク検出部１３０では、図８（ａ）に示すように検出電圧（ＶＤ）が全波整流形態に入力される場合にもピーク電圧を検出することができ、これと異なって、図８（ｂ）に示すように検出電圧（ＶＤ）が半波整流形態に入力される場合にもピーク電圧を検出することができる。
【００５２】
このような本発明のピーク検出部によって、一対のランプワイヤ中の一方のワイヤがオープンされる場合や、両方のワイヤがオープンされる場合にも駆動電圧を正確に検出することが可能になるために、一方のワイヤのみオープンされる場合にもトランスで駆動電圧を継続的に上昇しようとする方向に制御しなくなるので過大電圧は発生されず、これによってトランスの破壊が予防される。
【００５３】
以上で説明した本発明は上述した実施例及び添付された図面によって限定されるものではなく、特許請求の範囲によって限定され、本発明の装置は本発明の技術的思想を外れない範囲内で様々に置換、変形及び変更が可能であることが、本発明が属する技術分野において通常の知識を有する者にとって明白である。
【図面の簡単な説明】
【００５４】
【図１】一般的なＬＣＤバックライトインバータの構成図である。
【図２】従来の電圧フィードバック回路の構成図である。
【図３】（ａ）及び（ｂ）はランプタイプ別電圧検出の例示図である。
【図４】定常動作時の電圧検出波形図である。
【図５】（ａ）及び（ｂ）はランプオープン時の電圧検出の波形図である。
【図６】本発明によるＬＣＤバックライトインバータ用電圧フィードバック回路の構成図である。
【図７】本発明のピーク検出部の回路図である。
【図８】（ａ）及び（ｂ）は本発明におけるピーク検出部のピーク電圧波形の例示図である。
【符号の説明】
【００５５】
１１０    第１電圧検出部  
１２０    第２電圧検出部
１３０    ピーク検出部  
１４０    電圧調節部
１５０    誤差検出部  
Ｔ１    第１トランス
Ｔ２    第２トランス
Ｖ１    第１駆動電圧  
Ｖ２    第２駆動電圧
ＶＤ    検出電圧  
ＶＰ    ピーク電圧
ＶＡ    検出電圧  
Ｖｒｅｆ    基準電圧
Ｃ１１    第１キャパシタ
Ｃ１２    第２キャパシタ  
Ｃ２１    第３キャパシタ
Ｃ２２    第４キャパシタ
ＮＤ    検出接続ノード  
Ｎ１    第１接続ノード
Ｎ２    第２接続ノード  
Ｄ１１    第１ダイオード
Ｄ１２    第２ダイオード  
Ｄ２１    第３ダイオード
Ｄ２２    第４ダイオード  
Ｃ３０    キャパシタ
Ｒ３０    抵抗
【図１】
2008010425.tif 000003
【図２】
2008010425.tif 000004
【図３】
2008010425.tif 000005
【図４】
2008010425.tif 000006
【図５】
2008010425.tif 000007
【図６】
2008010425.tif 000008
【図７】
2008010425.tif 000009
【図８】
2008010425.tif 000010
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
互いに逆位相で駆動する複数の第１、第２トランス対を含むＬＣＤバックライトインバータに適用される電圧フィードバック回路において、
前記第１トランスからの第１駆動電圧を検出する第１電圧検出部と、
前記第２トランスからの第２駆動電圧を検出する第２電圧検出部と、
前記第１電圧検出部の出力端と前記第２電圧検出部の出力端が接続された検出接続ノードで検出される検出電圧のピークを検出するピーク検出部と、
前記ピーク検出部からのピーク電圧を既設定された電圧割合に調節する電圧調節部と、
前記電圧調節部からの検出電圧と既設定された基準電圧との差電圧を検出する誤差検出部と、
を備えるＬＣＤバックライトインバータ用電圧フィードバック回路。
【請求項２】
前記第１電圧検出部は、前記第１トランスの出力端と接地との間に直列に連結される第１、第２キャパシタと、
前記第１、第２キャパシタが互いに接続される第１接続ノードに連結されたアノードを有し、前記第１接続ノードの電圧を整流する第１ダイオードと、
前記第１ダイオードのアノードに連結されたカソードと接地に連結されたアノードとを有する第２ダイオードと、
を含むことを特徴とする、請求項１記載のＬＣＤバックライトインバータ用電圧フィードバック回路。
【請求項３】
前記第２電圧検出部は、前記第１トランスの出力端と接地との間に直列に連結される第３、第４キャパシタと、
前記第３、第４キャパシタが互いに接続される第２接続ノードに連結されたアノードを有し、前記第２接続ノードの電圧を整流する第３ダイオードと、
前記第３ダイオードのアノードに連結されたカソードと接地に連結されたアノードとを有する第４ダイオードドと、
を含むことを特徴とする、請求項１記載のＬＣＤバックライトインバータ用電圧フィードバック回路。
【請求項４】
前記ピーク検出部は、前記検出ノードと接地との間に連結されたキャパシタと、
前記キャパシタと出力端間の信号ラインに形成された抵抗と、
を含むことを特徴とする、請求項１記載のＬＣＤバックライトインバータ用電圧フィードバック回路。
【手続補正２】
【補正対象書類名】明細書
【補正対象項目名】０００４
【補正方法】変更
【補正の内容】
【０００４】
図１に示された一般的なＬＣＤバックライトインバータは、フィードバック電圧（ＳＶ）または電流（ＳＡ）によってパワースイッチングを制御する制御部１と、上記制御部１の制御によって電源をスイッチングするパワースイッチ２と、上記パワースイッチ２によって供給される１次電圧を２次電圧に変換するトランス部３と、上記トランス部３の２次電圧による駆動電流によって点灯される複数のランプを含むランプ部（ＬＡＭＰ）と、上記ランプ部（ＬＡＭＰ）の駆動電圧を検出する電圧検出回路部１１と、上記ランプ部（ＬＡＭＰ）のランプオープン状態で動作し、上記電圧検出回路部１１による検出電圧と基準電圧を比較し、その差電圧を上記制御部１にフィードバックする電圧フィードバック回路部１２と、上記ランプ部（ＬＡＭＰ）に流れる電流を検出する電流検出回路部２１と、上記ランプ部（ＬＡＭＰ）が定常動作状態で動作して、上記電流検出回路部２１による検出電流に該当或いは相当する電圧と基準電圧を比較し、その差電圧を上記制御部１にフィードバックする電流フィードバック回路部２２と、上記電流検出回路部２１による検出電流に該当或いは相当する電圧とオープン判断基準電圧を比較し、その比較結果によって保護信号（ＳＰ）を上記電圧フィードバック回路部１２及び上記電流フィードバック回路部２２に出力するランプオープン保護回路部３０とを含む。
【手続補正３】
【補正対象書類名】明細書
【補正対象項目名】００２５
【補正方法】変更
【補正の内容】
【００２５】
上記第１電圧検出部は、上記第１トランスの出力端と接地の間に直列に連結される第１、第２キャパシタと、上記第１、第２キャパシタが互いに接続される第１接続ノードに連結されたアノードを有し、上記第１接続ノードの電圧を整流する第１ダイオードと、上記第１ダイオードのアノードに連結されたカソードと接地に連結されたアノードとを有する第２ダイオードとを含むことを特徴とする。
【手続補正４】
【補正対象書類名】明細書
【補正対象項目名】００２６
【補正方法】変更
【補正の内容】
【００２６】
上記第２電圧検出部は、上記第２トランスの出力端と接地との間に直列に連結される第３、第４キャパシタと、上記第３、第４キャパシタが互いに接続される第２接続ノードに連結されたアノードを有し、上記第２接続ノードの電圧を整流する第３ダイオードと、上記第３ダイオードのアノードに連結されたカソードと接地に連結されたアノードとを有する第４ダイオードドを含むことを特徴とする。
【手続補正５】
【補正対象書類名】明細書
【補正対象項目名】００２７
【補正方法】変更
【補正の内容】
【００２７】
上記ピーク検出部は、上記検出ノードと接地との間に連結されたキャパシタと、上記キャパシタと出力端間の信号ラインに形成された抵抗とを含むことを特徴とする。